(57)【要約】【課題】利便性または信頼性に優れた新規な検知器を提供する。また、利便性または信頼性に優れた新規な入力装置を提供する。また、利便性または信頼性に優れた新規な入出力装置を提供する。【解決手段】検知素子と、第１乃至第３のトランジスタを備え、第１のトランジスタのゲートは、第３のトランジスタのソース又はドレインの一方及び検知素子の第１の電極と電気的に接続し、第１のトランジスタのソース又はドレインの一方は、検知素子の第２の電極の電位を制御することができる制御信号を供給することができる第１の配線及び検知素子の第２の電極と電気的に接続する検知回路と、を有する構成の検知器、入力装置及び入出力装置。【選択図】図２
2020064641.tif 000002
【特許請求の範囲】
【請求項１】
可撓性の第１の基材と、可撓性の第２の基材と、を有し、
前記第１の基材には、複数の透光性の検知素子が設けられ、
前記第２の基材には、複数の発光素子が設けられ、
前記第１の基材と前記第２の基材は、封止材により貼り合され、
前記第１の基材と前記第２の基材の間には、可撓性の基材を有さず、
前記発光素子からの光を、前記検知素子を介して取り出す半導体装置。
【請求項２】
請求項１において、
前記第１の基材上には、複数のトランジスタを有し、
前記トランジスタは、前記発光素子と電気的に接続されている半導体装置。
【請求項３】
請求項１または２において、
前記発光素子は、前記第１の基材と前記第２の基材との間に設けられている半導体装置。
【請求項４】
請求項１乃至請求項３のいずれか一の半導体装置を有し、
筐体を有し、
前記筐体は、第１の面と前記第１の面に対向する第２の面を有し、
前記半導体装置は、前記第１の面から前記第２の面にかけて折り曲げて配置されている情報処理装置。
【請求項５】
請求項４において、
前記第１の面と前記第２の面の間に第３の面を有し、
前記第３の面に、前記半導体装置は配置され、
前記第３の面には、物理ボタンは配置されていない情報処理装置。
【発明の詳細な説明】
【技術分野】
【０００１】
本発明の一態様は、検知器、入力装置または入出力装置に関する。
【０００２】
なお、本発明の一態様は、上記の技術分野に限定されない。本明細書等で開示する発明の
一態様の技術分野は、物、方法、または、製造方法に関するものである。または、本発明
の一態様は、プロセス、マシン、マニュファクチャ、または、組成物（コンポジション・
オブ・マター）に関するものである。そのため、より具体的に本明細書で開示する本発明
の一態様の技術分野としては、半導体装置、表示装置、発光装置、蓄電装置、記憶装置、
それらの駆動方法、または、それらの製造方法、を一例として挙げることができる。
【背景技術】
【０００３】
情報伝達手段に係る社会基盤が充実されている。これにより、多様で潤沢な情報を職場や
自宅だけでなく外出先でも情報処理装置を用いて取得、加工または発信できるようになっ
ている。
【０００４】
このような背景において、携帯可能な情報処理装置が盛んに開発されている。
【０００５】
例えば、携帯可能な情報処理装置は持ち歩いて使用されることが多く、落下により思わぬ
力が情報処理装置およびそれに用いられる表示装置に加わることがある。破壊されにくい
表示装置の一例として、発光層を分離する構造体と第２の電極層との密着性が高められた
構成が知られている（特許文献１）。
【０００６】
例えば、筐体の正面及び長手方向の上部に配置されていることを特徴とする携帯電話機が
知られている（特許文献２）。
【０００７】
特許文献３には、可撓性を有する基板上に、スイッチング素子であるトランジスタや有機
ＥＬ（Ｅｌｅｃｔｒｏｌｕｍｉｎｅｓｃｅｎｃｅ）素子を備えたフレキシブルなアクティ
ブマトリクス方式の発光装置が開示されている。
【先行技術文献】
【特許文献】
【０００８】
【特許文献１】特開２０１２−１９０７９４号公報
【特許文献２】特開２０１０−１５３８１３号公報
【特許文献３】特開２００３−１７４１５３号公報
【発明の概要】
【発明が解決しようとする課題】
【０００９】
本発明の一態様は、利便性または信頼性に優れた新規な情報処理装置を提供することを課
題の一とする。または、新規な情報処理装置を提供することを課題の一とする。
【００１０】
本発明の一態様は、可撓性を有する検知器、もしくは可撓性を有する入力装置、もしくは
可撓性を有する入出力装置を提供することを目的の一とする。または、本発明の一態様は
、軽量な入出力装置を提供することを目的の一とする。または、本発明の一態様は、厚さ
の薄い入力装置もしくは入出力装置を提供することを目的の一とする。または、本発明の
一態様は、検出感度の高い入力装置もしくは入出力装置を提供することを目的の一とする
。または、本発明の一態様は、検知器もしくは入力装置もしくは入出力装置の薄型化と、
高い検出感度を両立することを目的の一とする。または、本発明の一態様は、大型の入力
装置もしくは入出力装置に用いることができる検知器を提供することを目的の一とする。
または、本発明の一態様は、大型の入力装置もしくは入出力装置を提供することを目的の
一とする。
【００１１】
または、本発明の一態様は、利便性または信頼性に優れた新規な検知器を提供することを
目的の一とする。または、利便性または信頼性に優れた新規な入力装置を提供することを
目的の一とする。利便性または信頼性に優れた新規な入出力装置を提供することを目的の
一とする。または、新規な検知器、新規な入力装置、新規な入出力装置、または、新規な
半導体装置、を提供することを目的の一とする。
【００１２】
なお、これらの課題の記載は、他の課題の存在を妨げるものではない。なお、本発明の一
態様は、これらの課題の全てを解決する必要はないものとする。なお、これら以外の課題
は、明細書、図面、請求項などの記載から、自ずと明らかとなるものであり、明細書、図
面、請求項などの記載から、これら以外の課題を抽出することが可能である。
【課題を解決するための手段】
【００１３】
本発明の一態様は、検知素子と、検知素子と電気的に接続される検知回路と、検知素子お
よび検知回路を支持する可撓性の基材と、を有する検知器である。
【００１４】
検知回路は、第１乃至第３のトランジスタを備える。第１のトランジスタのゲートは、第
３のトランジスタのソース又はドレインの一方及び検知素子の一方の電極と電気的に接続
する。また、第１のトランジスタのソース又はドレインの一方は、第１の配線及び検知素
子の他方の電極と電気的に接続する。また、第１のトランジスタのソース又はドレインの
他方は、第２のトランジスタのソース又はドレインの一方と電気的に接続する。また、第
２のトランジスタのゲートは、第２の配線と電気的に接続する。また、第２のトランジス
タのソース又はドレインの他方は、第３の配線と電気的に接続する。また、第３のトラン
ジスタのゲートは、第４の配線と電気的に接続する。第３のトランジスタのソース又はド
レインの他方は、第５の配線と電気的に接続する。
【００１５】
また、上記において、検知回路は、第１のトランジスタのゲートの電位の変化に基づいて
検知信号を供給する。
【００１６】
また、上記において、検知回路は、検知素子の容量の変化に基づいて検知信号を供給する
。
【００１７】
また、本発明の一態様は、検知素子と、検知素子と電気的に接続される検知回路と、
検知素子および検知回路を支持する可撓性の基材と、を有する検知器である。
【００１８】
検知回路は、第１乃至第３のトランジスタを備える。第１のトランジスタのゲートは、第
３のトランジスタのソース又はドレインの一方及び検知素子の一方の電極と電気的に接続
する。また、第１のトランジスタのソース又はドレインの一方は、検知素子の他方の電極
の電位を制御することができる制御信号を供給することができる第１の配線及び検知素子
の他方の電極と電気的に接続する。また、第１のトランジスタのソース又はドレインの他
方は、第２のトランジスタのソース又はドレインの一方と電気的に接続する。また、第２
のトランジスタのゲートは、選択信号を供給することができる第２の配線と電気的に接続
する。また、第２のトランジスタのソース又はドレインの他方は、検知信号を供給するこ
とができる第３の配線と電気的に接続する。また、第３のトランジスタのゲートは、リセ
ット信号を供給することができる第４の配線と電気的に接続する。第３のトランジスタの
ソース又はドレインの他方は、接地電位を供給することができる第５の配線と電気的に接
続する。
【００１９】
また、上記において、検知回路は、第１のトランジスタのゲートの電位の変化に基づいて
検知信号を供給する。
【００２０】
また、上記において、検知回路は、検知素子の容量の変化に基づいて検知信号を供給する
。
【００２１】
また、本発明の一態様は、可視光を透過する窓部と、窓部に重なる透光性の検知素子と、
検知素子と電気的に接続される検知回路と、検知素子および検知回路を支持する可撓性の
基材と、を有する検知器である。
【００２２】
そして、検知素子は、絶縁層、絶縁層を挟持する第１の電極および第２の電極を備え、検
知回路は、検知素子の容量の変化に基づいて検知信号を供給する。
【００２３】
また、本発明の一態様は、検知回路が、第１乃至第３のトランジスタを備え、第１のトラ
ンジスタのゲートは、第３のトランジスタのソース又はドレインの一方及び前記検知素子
の第１の電極と電気的に接続し、第１のトランジスタのソース又はドレインの一方は、検
知素子の第２の電極の電位を制御することができる制御信号を供給することができる第１
の配線及び前記検知素子の第２の電極と電気的に接続し、第１のトランジスタのソース又
はドレインの他方は、第２のトランジスタのソース又はドレインの一方と電気的に接続し
、第２のトランジスタのゲートは、選択信号を供給することができる第２の配線と電気的
に接続し、第２のトランジスタのソース又はドレインの他方は、検知信号を供給すること
ができる第３の配線と電気的に接続し、第３のトランジスタのゲートは、リセット信号を
供給することができる第４の配線と電気的に接続し、第３のトランジスタのソース又はド
レインの他方は、接地電位を供給することができる第５の配線と電気的に接続する、検知
器である。
【００２４】
また、上記において、検知回路は、第１のトランジスタのゲートの電位の変化に基づいて
検知信号を供給する。
【００２５】
また、上記において、検知回路は、検知素子の容量の変化に基づいて検知信号を供給する
。
【００２６】
上記本発明の一態様の検知器は、可視光を透過する窓部と、絶縁層およびそれを挟持する
一対の電極を備え且つ窓部に重なる透光性の検知素子と、検知素子の容量の変化に基づく
検知信号を供給する検知回路と、検知素子および検知回路を支持する可撓性の基材と、を
含んで構成される。
【００２７】
なお、検知素子の容量は、例えば、一方の電極または他方の電極にものが近接すること、
もしくは一方の電極および他方の電極の間隔が変化することにより変化する。これらによ
り、検知器は検知素子の容量の変化に基づく検知信号を供給すること、可視光を透過する
ことおよび曲げることができる。その結果、利便性または信頼性に優れた新規な検知器を
提供することができる。
【００２８】
なお、第１のトランジスタのソース又はドレインの一方と検知素子の第２の電極が、検知
素子の第２の電極の電位を制御することができる制御信号を供給することができる第１の
配線と電気的に接続することにより、例えば、第１の配線にノイズが入った場合でも、検
知素子の第２の電極と第１のトランジスタのソース又はドレインの一方が、それぞれ異な
る配線に接続された構成の検知回路と比較して、第１の配線に供給される信号の電位と検
知素子の第１の電極の電位の差（検知素子の電極間の電位差）が一定に保たれやすくなる
。そのため、ノイズに影響される検知素子の容量の変化を低減することができ、ノイズが
もたらす検知信号への干渉を低減することができる。その結果、検知器の感度を上げ、信
頼性に優れた新規な検知器を提供することができる。
【００２９】
また、本発明の一態様は、マトリクス状に配置される複数の検知ユニットと、行方向に配
置される複数の検知ユニットが電気的に接続される第２の配線と、列方向に配置される検
知ユニットが電気的に接続される第３の配線と、検知ユニット、第２の配線および第３の
配線が配設される可撓性の基材と、を有する入力装置である。
【００３０】
そして、検知ユニットは、可視光を透過する窓部、窓部に重なる検知素子および検知素子
と電気的に接続される検知回路を備え、検知素子は、絶縁層、絶縁層を挟持する第１の電
極および第２の電極を備え、検知回路は、選択信号を供給され且つ検知素子の容量の変化
に基づいて検知信号を供給し、第２の配線は、選択信号を供給することができ、第３の配
線は、検知信号を供給することができる。
【００３１】
上記本発明の一態様の入力装置は、可視光を透過する窓部、絶縁層およびそれを挟持する
一対の電極を備え且つ窓部に重なる透光性の検知素子ならびに検知素子の容量の変化に基
づく検知信号を供給する検知回路を含み且つマトリクス状に配置される検知ユニットと、
検知ユニットを支持する可撓性の基材を含んで構成される。
【００３２】
なお、検知素子の容量は、例えば、第１の電極または第２の電極にものが近接すること、
もしくは第１の電極および第２の電極の間隔が変化することにより変化する。これにより
、入力装置は、検知ユニットの位置情報および当該検知ユニットが検知する検知信号を、
供給すること、可視光を透過することおよび曲げることができる。その結果、利便性また
は信頼性に優れた新規な入力装置を提供することができる。
【００３３】
また、本発明の一態様は、可視光を透過する窓部を具備し且つマトリクス状に配設される
複数の検知ユニット、行方向に配置される複数の検知ユニットが電気的に接続される第２
の配線、列方向に配置される複数の検知ユニットが電気的に接続される第３の配線ならび
に複数の検知ユニット、第２の配線および第３の配線を支持する可撓性の第１の基材を備
える可撓性の入力装置と、マトリクス状に配設され且つ窓部に重なる複数の画素および画
素を支持する可撓性の第２の基材を備える表示部と、を有する入出力装置である。
【００３４】
そして、検知ユニットは、窓部に重なる検知素子および検知素子と電気的に接続される検
知回路を備え、検知素子は、絶縁層、絶縁層を挟持する第１の電極および第２の電極を備
え、検知回路は、選択信号を供給され且つ検知素子の容量の変化に基づいて検知信号を供
給し、第２の配線は、選択信号を供給することができ、第３の配線は、検知信号を供給す
ることができ、検知回路は、複数の窓部の間隙に重なるように配置される。
【００３５】
上記本発明の一態様の入出力装置は、可視光を透過する窓部を具備する検知ユニットを複
数備える可撓性の入力装置と、窓部に重なる画素を複数備える可撓性の表示部と、を有し
、窓部と画素の間に着色層を含んで構成される。
【００３６】
これにより、入出力装置は容量の変化に基づく検知信号とそれを供給する検知ユニットの
位置情報を供給すること、検知ユニットの位置情報と関連付けられた画像情報を表示する
こと、および曲げることができる。その結果、利便性または信頼性に優れた新規な入出力
装置を提供することができる。
【００３７】
また、本発明の一態様は、可視光を透過する窓部を具備し且つマトリクス状に配設される
複数の検知ユニット、第１乃至第５の配線、ならびに複数の検知ユニット、第１乃至第５
の配線を支持する可撓性の第１の基材を備える可撓性の入力装置と、マトリクス状に配設
され且つ窓部に重なる複数の画素および画素を支持する可撓性の第２の基材を備える表示
部と、を有する入出力装置である。
【００３８】
第２の配線は行方向に配置される複数の検知ユニットと電気的に接続される。また、第３
の配線は列方向に配置される複数の検知ユニットと電気的に接続される。
【００３９】
検知ユニットは、窓部に重なる検知素子および検知素子と電気的に接続される検知回路を
備る。また、検知回路は、第１乃至第３のトランジスタを備える。第１のトランジスタの
ゲートは、第３のトランジスタのソース又はドレインの一方及び検知素子の一方の電極と
電気的に接続する。また、第１のトランジスタのソース又はドレインの一方は、第１の配
線及び検知素子の他方の電極と電気的に接続する。また、第１のトランジスタのソース又
はドレインの他方は、第２のトランジスタのソース又はドレインの一方と電気的に接続し
、
第２のトランジスタのゲートは、第２の配線と電気的に接続する。また、第２のトランジ
スタのソース又はドレインの他方は、第３の配線と電気的に接続する。また、第３のトラ
ンジスタのゲートは、第４の配線と電気的に接続する。第３のトランジスタのソース又は
ドレインの他方は、第５の配線と電気的に接続する。また、第２の配線は、選択信号を供
給することができ、第３の配線は、検知信号を供給することができる。検知回路は、複数
の窓部の間隙に重なるように配置される。
【００４０】
また、上記において、検知回路は、第１のトランジスタのゲートの電位の変化に基づいて
検知信号を供給する。
【００４１】
また、上記において、検知回路は、検知素子の容量の変化に基づいて検知信号を供給する
。
【００４２】
また、本発明の一態様は、可視光を透過する窓部を具備し且つマトリクス状に配設される
複数の検知ユニット、第１乃至第５の配線、ならびに複数の検知ユニット、第１乃至第５
の配線を支持する可撓性の第１の基材を備える可撓性の入力装置と、マトリクス状に配設
され且つ窓部に重なる複数の画素および画素を支持する可撓性の第２の基材を備える表示
部と、を有する入出力装置である。
【００４３】
第２の配線は行方向に配置される複数の検知ユニットと電気的に接続される。また、第３
の配線は列方向に配置される複数の検知ユニットと電気的に接続される。
【００４４】
検知ユニットは、窓部に重なる検知素子および検知素子と電気的に接続される検知回路を
備える。また、検知回路は、第１乃至第３のトランジスタを備える。第１のトランジスタ
のゲートは、第３のトランジスタのソース又はドレインの一方及び検知素子の一方の電極
と電気的に接続する。また、第１のトランジスタのソース又はドレインの一方は、検知素
子の他方の電極の電位を制御することができる制御信号を供給することができる第１の配
線及び検知素子の他方の電極と電気的に接続する。また、第１のトランジスタのソース又
はドレインの他方は、第２のトランジスタのソース又はドレインの一方と電気的に接続す
る。また、第２のトランジスタのゲートは、選択信号を供給することができる第２の配線
と電気的に接続する。また、第２のトランジスタのソース又はドレインの他方は、検知信
号を供給することができる第３の配線と電気的に接続する。また、第３のトランジスタの
ゲートは、リセット信号を供給することができる第４の配線と電気的に接続する。また、
第３のトランジスタのソース又はドレインの他方は、接地電位を供給することができる第
５の配線と電気的に接続する。また、検知回路は、複数の窓部の間隙に重なるように配置
される。
【００４５】
また、上記において、検知回路は、第１のトランジスタのゲートの電位の変化に基づいて
検知信号を供給する。
【００４６】
また、上記において、検知回路は、検知素子の容量の変化に基づいて検知信号を供給する
。
【００４７】
なお、本明細書において、ＥＬ層とは発光素子の一対の電極間に設けられた層を示すもの
とする。従って、電極間に挟まれた発光物質である有機化合物を含む発光層はＥＬ層の一
態様である。
【００４８】
また、本明細書において、物質Ａを他の物質Ｂからなるマトリクス中に分散する場合、マ
トリクスを構成する物質Ｂをホスト材料と呼び、マトリクス中に分散される物質Ａをゲス
ト材料と呼ぶものとする。なお、物質Ａ並びに物質Ｂは、それぞれ単一の物質であっても
良いし、２種類以上の物質の混合物であっても良いものとする。
【００４９】
なお、本明細書中において、発光装置とは画像表示デバイス、または光源（照明装置含む
）を指す。また、発光装置にコネクター、例えばＦＰＣ（Ｆｌｅｘｉｂｌｅ  ｐｒｉｎｔ
ｅｄ  ｃｉｒｃｕｉｔ）もしくはＴＣＰ（Ｔａｐｅ  Ｃａｒｒｉｅｒ  Ｐａｃｋａｇｅ）
が取り付けられたモジュール、ＴＣＰの先にプリント配線板が設けられたモジュール、ま
たは発光素子が形成された基板にＣＯＧ（Ｃｈｉｐ  Ｏｎ  Ｇｌａｓｓ）方式によりＩＣ
（集積回路）が直接実装されたモジュールは、発光装置を含む場合がある。
【００５０】
本明細書に添付した図面では、構成要素を機能ごとに分類し、互いに独立したブロックと
してブロック図を示しているが、実際の構成要素は機能ごとに完全に切り分けることが難
しく、一つの構成要素が複数の機能に係わることもあり得る。
【００５１】
本明細書においてトランジスタが有するソースとドレインは、トランジスタの極性及び各
端子に与えられる電位の高低によって、その呼び方が入れ替わる。一般的に、ｎチャネル
型トランジスタでは、低い電位が与えられる端子がソースと呼ばれ、高い電位が与えられ
る端子がドレインと呼ばれる。また、ｐチャネル型トランジスタでは、低い電位が与えら
れる端子がドレインと呼ばれ、高い電位が与えられる端子がソースと呼ばれる。本明細書
では、便宜上、ソースとドレインとが固定されているものと仮定して、トランジスタの接
続関係を説明する場合があるが、実際には上記電位の関係に従ってソースとドレインの呼
び方が入れ替わる。
【００５２】
本明細書においてトランジスタのソースとは、活性層として機能する半導体膜の一部であ
るソース領域、或いは上記半導体膜に接続されたソース電極を意味する。同様に、トラン
ジスタのドレインとは、上記半導体膜の一部であるドレイン領域、或いは上記半導体膜に
接続されたドレイン電極を意味する。また、ゲートはゲート電極を意味する。
【００５３】
本明細書においてトランジスタが直列に接続されている状態とは、例えば、第１のトラン
ジスタのソースまたはドレインの一方のみが、第２のトランジスタのソースまたはドレイ
ンの一方のみに接続されている状態を意味する。また、トランジスタが並列に接続されて
いる状態とは、第１のトランジスタのソースまたはドレインの一方が第２のトランジスタ
のソースまたはドレインの一方に接続され、第１のトランジスタのソースまたはドレイン
の他方が第２のトランジスタのソースまたはドレインの他方に接続されている状態を意味
する。
【００５４】
本明細書において接続とは、電気的な接続を意味しており、電流、電圧または電位が、供
給可能、或いは伝送可能な状態にすることができるような回路構成になっている場合に相
当する。従って、接続している回路構成とは、直接接続している状態を必ずしも指すわけ
ではなく、電流、電圧または電位が、供給可能、或いは伝送可能であるように、配線、抵
抗、ダイオード、トランジスタなどの回路素子を介して間接的に接続している回路構成も
、その範疇に含む。
【００５５】
本明細書において回路図上は独立している構成要素どうしが接続されている場合であって
も、実際には、例えば配線の一部が電極として機能する場合など、一の導電膜が、複数の
構成要素の機能を併せ持っている場合もある。本明細書において接続とは、このような、
一の導電膜が、複数の構成要素の機能を併せ持っている場合も、その範疇に含める。
【００５６】
また、本明細書中において、トランジスタの第１の電極または第２の電極の一方がソース
電極を、他方がドレイン電極を指す。
【発明の効果】
【００５７】
本発明の一態様は、可撓性を有する検知器、もしくは可撓性を有する入力装置、もしくは
可撓性を有する入出力装置を提供することができる。または、本発明の一態様は、軽量な
入出力装置を提供することができる。または、本発明の一態様は、厚さの薄い入力装置も
しくは入出力装置を提供することができる。または、本発明の一態様は、検出感度の高い
入力装置もしくは入出力装置を提供することができる。または、本発明の一態様は、検知
器もしくは入力装置もしくは入出力装置の薄型化と、高い検出感度を両立することができ
る。または、本発明の一態様は、大型の入力装置もしくは入出力装置に用いることができ
る検知器を提供することができる。または、本発明の一態様は、大型の入力装置もしくは
入出力装置を提供することができる。
【００５８】
本発明の一態様によれば、利便性または信頼性に優れた新規な検知器を提供できる。また
は、利便性または信頼性に優れた新規な入力装置を提供できる。利便性または信頼性に優
れた新規な入出力装置を提供できる。または、新規な検知器、新規な入力装置、新規な入
出力装置、または、新規な半導体装置、を提供できる。なお、これらの効果の記載は、他
の効果の存在を妨げるものではない。なお、本発明の一態様は、必ずしも、これらの効果
の全てを有する必要はない。なお、これら以外の効果は、明細書、図面、請求項などの記
載から、自ずと明らかとなるものであり、明細書、図面、請求項などの記載から、これら
以外の効果を抽出することが可能である。
【図面の簡単な説明】
【００５９】
【図１】実施の形態に係る検知器の構成を説明する図。
【図２】実施の形態に係る検知器の構成を説明する回路図および駆動方法を説明するタイミングチャート。
【図３】実施の形態に係る入力装置の構成を説明する図。
【図４】実施の形態に係る入力装置の構成を説明するブロック図および駆動方法を説明するタイミングチャート。
【図５】実施の形態に係る入力装置の構成を説明する投影図。
【図６】実施の形態に係る入力装置の構成を説明する断面図。
【図７】実施の形態に係る情報処理装置の構成を説明する投影図。
【図８】実施の形態に係る情報処理装置の構成を説明する投影図。
【発明を実施するための形態】
【００６０】
本発明の一態様の検知器は、可視光を透過する窓部と、絶縁層およびそれを挟持する一対
の電極を備え且つ窓部に重なる透光性の検知素子と、検知素子の容量の変化に基づく検知
信号を供給する検知回路と、検知素子および検知回路を支持する可撓性の基材と、を含ん
で構成される。
【００６１】
また、検知器の検知回路は、第１のトランジスタのソース又はドレインの一方と検知素子
の第２の電極が、検知素子の第２の電極の電位を制御することができる制御信号を供給す
ることができる配線と電気的に接続すること、を含んでいる。また、検知回路は、第１乃
至第３のトランジスタを備え、第１のトランジスタのゲートは、第３のトランジスタのソ
ース又はドレインの一方及び前記検知素子の第１の電極と電気的に接続し、第１のトラン
ジスタのソース又はドレインの一方は、検知素子の第２の電極の電位を制御することがで
きる制御信号を供給することができる第１の配線及び前記検知素子の第２の電極と電気的
に接続し、第１のトランジスタのソース又はドレインの他方は、第２のトランジスタのソ
ース又はドレインの一方と電気的に接続し、第２のトランジスタのゲートは、選択信号を
供給することができる第２の配線と電気的に接続し、第２のトランジスタのソース又はド
レインの他方は、検知信号を供給することができる第３の配線と電気的に接続し、第３の
トランジスタのゲートは、リセット信号を供給することができる第４の配線と電気的に接
続し、第３のトランジスタのソース又はドレインの他方は、接地電位を供給することがで
きる第５の配線と電気的に接続すること、を含んでいる。
【００６２】
これにより、検知器は検知素子の容量の変化に基づく検知信号を供給すること、可視光を
透過することおよび曲げることができる。その結果、利便性または信頼性に優れた新規な
検知器、入力装置または入出力装置を提供することができる。なお、本明細書において、
検知素子の容量は、検知素子に寄生する容量を含む場合がある。
【００６３】
実施の形態について、図面を用いて詳細に説明する。但し、本発明は以下の説明に限定さ
れず、本発明の趣旨及びその範囲から逸脱することなくその形態及び詳細を様々に変更し
得ることは当業者であれば容易に理解される。従って、本発明は以下に示す実施の形態の
記載内容に限定して解釈されるものではない。
【００６４】
なお、以下に説明する発明の構成において、同一部分又は同様な機能を有する部分には同
一の符号を異なる図面間で共通して用い、その繰り返しの説明は省略する。
【００６５】
（実施の形態１）
本実施の形態では、本発明の一態様の検知器の構成について、図１および図２を参照しな
がら説明する。
【００６６】
図１は本発明の一態様の検知器１０の構成を説明する図である。
【００６７】
図２は本発明の一態様の検知器１０の駆動方法を説明する図である。
【００６８】
＜検知器の構成例＞
本発明の一態様の検知器の構成について、図１を参照しながら説明する。
【００６９】
図１（Ａ）は本発明の一態様の検知器１０の底面を説明する模式図および回路図である。
なお、均等に図中に配置された破線と黒丸は、矩形の領域が繰り返し配置されている旨を
省略して図示するものである。
【００７０】
図１（Ｂ）は図１（Ａ）に破線で囲まれた部分の領域の詳細な底面図である。
【００７１】
図１（Ｃ）は図１（Ａ）に記号で示すトランジスタＭ１を含む部分の底面図である。
【００７２】
図１（Ｄ）は図１（Ｃ）に示す切断線Ｘ１−Ｘ２および切断線Ｙ１−Ｙ２における断面の
構造を説明する断面図である。
【００７３】
本実施の形態で説明する検知器１０は、可視光を透過する窓部１４と、窓部１４に重なり
且つ所定の色の光を透過する着色層と、窓部１４を囲む遮光性の層ＢＭと、窓部１４に重
なる検知素子Ｃと、遮光性の層ＢＭに重なり検知素子Ｃと電気的に接続される検知回路１
９と、検知素子Ｃおよび検知回路１９を支持する可撓性の基材１６と、を有する（図１（
Ａ）乃至図１（Ｄ）参照）。
【００７４】
そして、検知素子Ｃは、絶縁層、絶縁層を挟持する第１の電極１１および第２の電極１２
を備える。
【００７５】
検知回路１９は、検知素子Ｃの容量の変化に基づいて検知信号ＤＡＴＡを供給する。
【００７６】
また、検知回路１９は、ゲートが検知素子Ｃの第１の電極１１と電気的に接続され、第１
の電極が、例えば検知素子Ｃの第２の電極１２の電位を制御することができる制御信号を
供給することができる配線ＶＰと電気的に接続される第１のトランジスタＭ１を備える構
成であってもよい（図１（Ａ）参照）。
【００７７】
また、ゲートが選択信号を供給することができる走査線Ｇ１と電気的に接続され、第１の
電極が第１のトランジスタＭ１の第２の電極と電気的に接続され、第２の電極が例えば検
知信号ＤＡＴＡを供給することができる信号線ＤＬと電気的に接続される第２のトランジ
スタＭ２を備える構成であってもよい。
【００７８】
また、ゲートがリセット信号を供給することができる配線ＲＥＳと電気的に接続され、第
１の電極が検知素子Ｃの第１の電極１１と電気的に接続され、第２の電極が例えば接地電
位を供給することができる配線ＶＲＥＳと電気的に接続される第３のトランジスタＭ３を
備える構成であってもよい。
【００７９】
また、検知素子Ｃの第２の電極１２と電気的に接続され、検知素子Ｃの第２の電極１２の
電位を制御することができる制御信号を供給することができる配線ＶＰを備える構成であ
ってもよい。
【００８０】
なお、本明細書中では、配線ＶＰを第１の配線、走査線Ｇ１を第２の配線、信号線ＤＬを
第３の配線、配線ＲＥＳを第４の配線、配線ＶＲＥＳを第５の配線という場合がある。
【００８１】
本実施の形態で説明する検知器１０は、窓部１４と、窓部１４に重なり且つ所定の色の可
視光を透過する着色層と、窓部１４を囲む遮光性の層ＢＭと、絶縁層およびそれを挟持す
る一対の電極を備え且つ窓部１４に重なる透光性の検知素子Ｃと、遮光性の層ＢＭに重な
り検知素子Ｃの容量の変化に基づく検知信号ＤＡＴＡを供給する検知回路１９と、検知素
子Ｃおよび検知回路１９を支持する可撓性の基材１６と、を含んで構成される。
【００８２】
なお、検知素子Ｃの容量は、例えば、第１の電極１１または第２の電極１２にものが近接
すること、もしくは第１の電極１１および第２の電極１２の間隔が変化することにより変
化する。これらにより、検知器１０は検知素子Ｃの容量の変化に基づく検知信号ＤＡＴＡ
を供給すること、可視光を透過することおよび曲げることができる。その結果、利便性ま
たは信頼性に優れた新規な検知器を提供することができる。
【００８３】
なお、配線ＶＲＥＳは例えば接地電位を供給することができる。
【００８４】
また、配線ＲＥＳはリセット信号を供給することができ、走査線Ｇ１は選択信号を供給す
ることができ、配線ＶＰは検知素子Ｃの第２の電極１２の電位を制御する制御信号を供給
することができる。
【００８５】
また、信号線ＤＬは検知信号ＤＡＴＡを供給することができ、端子ＯＵＴは検知信号ＤＡ
ＴＡに基づいて変換された信号を供給することができる。
【００８６】
また、本実施の形態で説明する検知器１０は、検知素子Ｃの第２の電極１２と第１のトラ
ンジスタＭ１の第２の電極とが配線ＶＰに電気的に接続されることにより、例えば、配線
ＶＰにノイズが入った場合でも、検知素子Ｃの第２の電極１２と第１のトランジスタＭ１
の第２の電極がそれぞれ異なる配線に接続された構成の検知回路と比較して、配線ＶＰに
供給される信号の電位と検知素子Ｃの第１の電極１１の電位の差（検知素子Ｃの電極間の
電位差）が一定に保たれやすくなる。そのため、ノイズに影響される検知素子Ｃの容量の
変化を低減することができ、ノイズがもたらす検知信号ＤＡＴＡへの干渉を低減すること
ができる。具体的には、ノイズの低減に寄与することができる。
【００８７】
以下に、検知器１０を構成する個々の要素について説明する。なお、これらの構成は明確
に分離できず、一つの構成が他の構成を兼ねる場合や他の構成の一部を含む場合がある。
【００８８】
《窓部、着色層および遮光性の層》
窓部１４は可視光を透過する。
【００８９】
窓部１４に重なる位置に所定の色の光を透過する着色層を備える。例えば、青色の光を透
過する着色層ＣＦＢ、着色層ＣＦＧまたは着色層ＣＦＲを備える（図１（Ｂ）乃至図１（
Ｄ）参照）。
【００９０】
なお、青色、緑色または／および赤色に加えて、白色の光を透過する着色層または黄色の
光を透過する着色層などさまざまな色の光を透過する着色層を備えることができる。
【００９１】
金属材料、顔料または染料等を着色層に用いることができる。
【００９２】
なお、着色層および遮光性の層ＢＭを覆う透光性のオーバーコート層を備えることができ
る。
【００９３】
窓部１４を囲む遮光性の層ＢＭを備える。遮光性の層ＢＭは窓部１４より光を透過しにく
い。
【００９４】
カーボンブラック、金属酸化物、複数の金属酸化物の固溶体を含む複合酸化物等を遮光性
の層ＢＭに用いることができる。
【００９５】
《検知回路および配線》
検知回路１９および配線を遮光性の層ＢＭに重なる位置に備える構成が好ましい。
【００９６】
第１のトランジスタＭ１と同一の工程で形成することができるトランジスタを、第２のト
ランジスタＭ２および第３のトランジスタＭ３に用いることができる。
【００９７】
また、遮光性の層ＢＭに重なるように配線を配置する場合、可視光を透過しにくい材料を
配線に用いることができる。例えば、透光性を有する導電膜と比較して優れた導電性を有
する材料を用いることができる。具体的には、金属を用いることができる。
【００９８】
基材１６に形成した膜を加工して、基材１６に検知回路１９を形成してもよい。
【００９９】
または、検知回路１９を他の基材に形成し、他の基材に形成された検知回路１９を基材１
６に転置してもよい。
【０１００】
＜検知器の駆動方法＞
本実施の形態で説明する検知器１０の駆動方法について、図２を参照しながら説明する。
【０１０１】
図２（Ａ）は本発明の一態様の検知器１０および変換器ＣＯＮＶの構成を説明する回路図
であり、図２（Ｂ−１）および図２（Ｂ−２）は駆動方法を説明するタイミングチャート
である。
【０１０２】
なお、検知信号ＤＡＴＡを変換して端子ＯＵＴに供給することができるさまざまな回路を
、変換器ＣＯＮＶに用いることができる。例えば、変換器ＣＯＮＶを検知回路１９と電気
的に接続することにより、ソースフォロワ回路またはカレントミラー回路などが構成され
るようにしてもよい。
【０１０３】
具体的には、トランジスタＭ４を用いた変換器ＣＯＮＶを用いて、ソースフォロワ回路を
構成できる（図２（Ａ）参照）。
【０１０４】
なお、第１のトランジスタＭ１乃至第３のトランジスタＭ３と同一の工程で作製すること
ができるトランジスタをトランジスタＭ４に用いてもよい。
【０１０５】
《第１のステップ》
第１のステップにおいて、第３のトランジスタＭ３を導通状態にした後に非導通状態にす
るリセット信号をゲートに供給し、検知素子Ｃの第１の電極１１の電位を所定の電位にす
る（図２（Ｂ−１）期間Ｔ１参照）。
【０１０６】
具体的には、リセット信号を配線ＲＥＳに供給させる。リセット信号が供給された第３の
トランジスタＭ３は、ノードＡの電位を例えば接地電位にする（図２（Ａ）参照）。
【０１０７】
《第２のステップ》
第２のステップにおいて、制御信号を検知素子Ｃの第２の電極１２に供給し、制御信号お
よび検知素子Ｃの容量に基づいて変化する電位を第１のトランジスタＭ１のゲートに供給
する。
【０１０８】
具体的には、配線ＶＰに制御信号を供給させる。制御信号を第２の電極１２に供給された
検知素子Ｃは、検知素子Ｃの容量に基づいてノードＡの電位を上昇する（図２（Ｂ−１）
期間Ｔ２を参照）。
【０１０９】
《第３のステップ》
第３のステップにおいて、第２のトランジスタＭ２を導通状態にする選択信号をゲートに
供給し、第１のトランジスタＭ１の第２の電極を信号線ＤＬに電気的に接続する。
【０１１０】
具体的には、走査線Ｇ１に選択信号を供給させる。選択信号が供給された第２のトランジ
スタＭ２は、第１のトランジスタＭ１の第２の電極を信号線ＤＬに電気的に接続する（図
２（Ｂ−１）期間Ｔ３参照）。
【０１１１】
例えば、検知素子が大気中に置かれている場合、大気より誘電率の高いものが、検知素子
Ｃの第１の電極１１または第２の電極１２に近接して配置された場合、検知素子Ｃの容量
は見かけ上大きくなる。
【０１１２】
これにより、制御信号がもたらすノードＡの電位の変化は、大気より誘電率の高いものが
近接して配置されていない場合に比べて小さくなる（図２（Ｂ−２）実線参照）。
【０１１３】
《第４のステップ》
第４のステップにおいて、第１のトランジスタＭ１のゲートの電位の変化に基づく信号を
、信号線ＤＬに供給する。なお、上記信号は検知信号としての機能を有する。従って、検
知回路は、第１のトランジスタのゲートの電位の変化に基づいて検知信号を供給する。
【０１１４】
例えば、第１のトランジスタＭ１のゲートの電位の変化に基づく電流の変化を信号線ＤＬ
に供給する。
【０１１５】
変換器ＣＯＮＶは、信号線ＤＬを流れる電流の変化を電圧の変化に変換して供給する。
【０１１６】
《第５のステップ》
第５のステップにおいて、第２のトランジスタを非導通状態にする選択信号をゲートに供
給する。
【０１１７】
なお、本実施の形態は、本明細書で示す他の実施の形態と適宜組み合わせることができる
。
【０１１８】
（実施の形態２）
本実施の形態では、本発明の一態様の入力装置の構成について、図３および図４を参照し
ながら説明する。
【０１１９】
図３は本発明の一態様の入力装置２００の構成を説明する図である。
【０１２０】
図４は本発明の一態様の入力装置２００の駆動方法を説明する図である。
【０１２１】
図３（Ａ）は入力装置２００の構成を説明するブロック図であり、図３（Ｂ）は入力装置
２００の外観を説明する投影図である。
【０１２２】
なお、入力装置２００はタッチセンサということもできる。
【０１２３】
＜入力装置の構成例＞
本実施の形態で説明する入力装置２００は、マトリクス状に配置される複数の検知ユニッ
ト１０Ｕと、行方向に配置される複数の検知ユニット１０Ｕが電気的に接続される走査線
Ｇ１と、列方向に配置される複数の検知ユニット１０Ｕが電気的に接続される信号線ＤＬ
と、検知ユニット１０Ｕ、走査線Ｇ１および信号線ＤＬが配設される可撓性の基材１６と
、を有する（図３参照）。
【０１２４】
例えば、複数の検知ユニット１０Ｕをｎ行ｍ列（ｎおよびｍは１以上の自然数）のマトリ
クス状に配置することができる。
【０１２５】
なお、ｉ行目のｊ列目（ｉは１以上ｎ以下の自然数、ｊは１以上ｍ以下の自然数）に配設
される検知ユニット１０Ｕを検知ユニット１０Ｕ（ｉ，ｊ）と表記する。また、ｉ行目に
配設される走査線Ｇ１を走査線Ｇ１（ｉ）と表記し、ｊ列目に配設される信号線ＤＬを信
号線ＤＬ（ｊ）と表記する。
【０１２６】
そして、検知ユニット１０Ｕは、可視光を透過する窓部１４（図示せず）、窓部１４に重
なる検知素子Ｃおよび検知素子Ｃと電気的に接続される検知回路１９（図示せず）を備え
る。
【０１２７】
例えば、実施の形態１で説明する検知器１０と同様の構成を検知ユニット１０Ｕに適用で
きる（図１参照）。
【０１２８】
検知素子Ｃは、絶縁層、絶縁層を挟持する第１の電極１１および第２の電極１２を備える
。
【０１２９】
検知回路１９は、選択信号を供給され且つ検知素子Ｃの容量の変化に基づいて検知信号を
供給する。
【０１３０】
走査線Ｇ１は、選択信号を供給することができ、信号線ＤＬは、検知信号を供給すること
ができる。
【０１３１】
また、検知回路１９は、ゲートが検知素子Ｃの第１の電極１１と電気的に接続され、第１
の電極が例えば検知素子Ｃの第２の電極１２の電位を制御する制御信号を供給することが
できる配線ＶＰと電気的に接続される第１のトランジスタＭ１を備える構成であってもよ
い（図２（Ａ）参照）。
【０１３２】
また、検知素子Ｃの第２の電極１２と第１のトランジスタＭ１の第２の電極とが、配線Ｖ
Ｐに電気的に接続される構成であっても良い。この構成により、例えば、配線ＶＰにノイ
ズが入った場合でも、検知素子Ｃの第２の電極１２と第１のトランジスタＭ１の第２の電
極がそれぞれ異なる配線に接続された構成の検知回路と比較して、配線ＶＰに供給される
信号の電位と検知素子Ｃの第１の電極１１の電位の差（検知素子Ｃの電極間の電位差）が
一定に保たれやすくなる。そのため、ノイズによる検知素子Ｃの容量の変化を低減するこ
とができ、ノイズがもたらす検知信号ＤＡＴＡへの干渉を低減することができる。具体的
には、ノイズの低減に寄与することができる。
【０１３３】
また、ゲートが選択信号を供給することができる走査線Ｇ１と電気的に接続され、第１の
電極が第１のトランジスタＭ１の第２の電極と電気的に接続され、第２の電極が例えば検
知信号ＤＡＴＡを供給することができる信号線ＤＬと電気的に接続される第２のトランジ
スタＭ２を備える構成であってもよい。
【０１３４】
また、ゲートがリセット信号を供給することができる配線ＲＥＳと電気的に接続され、第
１の電極が検知素子Ｃの第１の電極１１と電気的に接続され、第２の電極が例えば接地電
位を供給することができる配線ＶＲＥＳと電気的に接続される第３のトランジスタＭ３を
備える構成であってもよい。
【０１３５】
本実施の形態で説明する入力装置２００は、可視光を透過する窓部、絶縁層およびそれを
挟持する一対の電極を備え且つ窓部に重なる透光性の検知素子Ｃならびに検知素子Ｃの容
量の変化に基づく検知信号を供給する検知回路を含み且つマトリクス状に配置される検知
ユニット１０Ｕと、検知ユニット１０Ｕを支持する可撓性の基材１６を含んで構成される
。また可撓性の保護基材１７又は／及び保護層１７ｐを備えることができる（図３（Ｂ）
参照）。可撓性の保護基材１７又は保護層１７ｐは傷の発生を防いで入力装置２００を保
護する。
【０１３６】
なお、検知素子Ｃの容量は、例えば、検知素子Ｃの第１の電極１１または第２の電極１２
にものが近接すること、もしくは検知素子Ｃの第１の電極１１および第２の電極１２の間
隔が変化することにより変化する。これらにより、入力装置は、検知ユニットの位置情報
および当該検知ユニットが検知する検知信号を、供給すること、可視光を透過することお
よび曲げることができる。その結果、利便性または信頼性に優れた新規な入力装置を提供
することができる。
【０１３７】
また、入力装置２００は、検知素子Ｃの第２の電極１２の面積が、一の信号線に電気的に
接続される複数の検知素子Ｃが備える第１の電極１１の面積の和の１０倍以上好ましくは
２０倍以上である。
【０１３８】
本実施の形態で説明する入力装置２００は、選択信号を用いて一の信号線ＤＬに接続され
た複数の検知ユニット１０Ｕから一の検知ユニット１０Ｕを選択することができ且つ面積
が第２の電極１２に比べて十分小さい第１の電極１１を含んで構成される。
【０１３９】
これにより、選択している検知ユニットに由来する容量を、選択していない検知ユニット
に由来する容量から分離することができる。また、第１電極の面積が小さい検知ユニット
を配置して、位置情報を詳細に取得することができる。また、第１の電極がノイズを拾い
にくくなる。その結果、利便性または信頼性に優れた新規な入力装置を提供することがで
きる。
【０１４０】
また、入力装置２００は選択信号を所定のタイミングで供給することができる駆動回路２
０ｇを備えていてもよい。例えば、駆動回路２０ｇは選択信号を走査線ごとに所定の順番
で供給する。
【０１４１】
また、入力装置２００は検知ユニット１０Ｕが供給する検知信号ＤＡＴＡを変換する変換
器ＣＯＮＶを備えていてもよい。変換器ＣＯＮＶは複数の変換器ＣＯＮＶ（１）乃至ＣＯ
ＮＶ（ｍ）を備える。例えば、変換器ＣＯＮＶ（ｊ）は、信号線ＤＬ（ｊ）が供給する検
知信号ＤＡＴＡを変換して、供給してもよい（ｊは１以上ｍ以下の自然数）。
【０１４２】
また、入力装置２００は、フレキシブルプリント基板ＦＰＣと電気的に接続されてもよい
。例えば、フレキシブルプリント基板ＦＰＣは、電源電位などさまざまな電位またはさま
ざまなタイミング信号などを供給してもよく、検知信号ＤＡＴＡに基づく信号を供給され
てもよい。
【０１４３】
なお、本実施の形態で説明する入力装置は、実施の形態１で説明する検知器１０と同じ構
成を備える検知ユニット１０Ｕを基材１６上にマトリクス状に複数備える点、行方向に配
置される複数の検知ユニット１０Ｕが電気的に接続される走査線Ｇ１を複数備える点、列
方向に配置される検知ユニット１０Ｕが電気的に接続される信号線ＤＬを複数備える点、
検知ユニット１０Ｕの第１の電極１１が第２の電極１２に比べて十分小さい点が、図１を
参照しながら実施の形態１で説明する検知器１０とは異なる。ここでは異なる構成につい
て詳細に説明し、同様の構成を用いることができる部分は、上記の説明を援用する。
【０１４４】
以下に、入力装置２００を構成する個々の要素について説明する。なお、これらの構成は
明確に分離できず、一つの構成が他の構成を兼ねる場合や他の構成の一部を含む場合があ
る。
【０１４５】
《全体の構成》
入力装置２００は、複数の検知ユニット１０Ｕと、走査線Ｇ１と、信号線ＤＬとを有する
。
【０１４６】
また、駆動回路２０ｇと、駆動回路２０ｄと、を有してもよい。
【０１４７】
同一の工程で形成することができるトランジスタを用いて、複数の検知ユニット１０Ｕの
検知回路１９、駆動回路２０ｇおよび駆動回路２０ｄを構成することができる。
【０１４８】
《走査線および信号線》
走査線Ｇ１および信号線ＤＬを、検知ユニット１０Ｕの遮光性の膜ＢＭと重なる位置に配
置すると好ましい。
【０１４９】
なお、複数の検知ユニット１０Ｕをストライプ状、モザイク状、デルタ状、ハニカム状ま
たはベイヤ状に基材１６に配置してもよい。
【０１５０】
《駆動回路２０ｇ》
駆動回路２０ｇは、さまざまな組み合わせ回路を用いた論理回路で構成することができる
。例えば、シフトレジスタを適用できる。
【０１５１】
《駆動回路２０ｄ》
駆動回路２０ｄは変換回路を備えた変換器ＣＯＮＶを含む。変換器ＣＯＮＶは検知信号Ｄ
ＡＴＡを変換して供給することができるさまざまな回路を用いることができる。例えば、
変換器ＣＯＮＶを検知回路１９と電気的に接続することにより、ソースフォロワ回路また
はカレントミラー回路などが構成されるようにしてもよい。
【０１５２】
＜入力装置の駆動方法＞
本実施の形態で説明する入力装置２００の駆動方法について、図４を参照しながら説明す
る。
【０１５３】
図４（Ａ）は入力装置２００の構成を説明するブロック図であり、図４（Ｂ）は入力装置
２００の駆動方法を説明するタイミングチャートである。
【０１５４】
なお、配線ＶＲＥＳは例えば接地電位を供給することができ、配線ＶＰＯおよび配線ＢＲ
は例えば高電源電位を供給することができる。
【０１５５】
また、配線ＲＥＳはリセット信号を供給することができ、走査線Ｇ１は選択信号を供給す
ることができ、配線ＶＰは制御信号を供給することができる。
【０１５６】
また、信号線ＤＬは検知信号ＤＡＴＡを供給することができ、端子ＯＵＴ（ｊ）は検知信
号ＤＡＴＡに基づいて変換された信号を供給することができる。
【０１５７】
本実施の形態で説明する入力装置２００の駆動方法は、同一のタイミングで一の走査線Ｇ
１（ｉ）が複数の検知ユニット１０Ｕに選択信号を供給する点および同一のタイミングで
複数の端子ＯＵＴ（１）乃至ＯＵＴ（ｍ）が検知信号ＤＡＴＡに基づいて変換された信号
を供給する点が、図２を参照しながら説明する検知器１０の駆動方法とは異なる。ここで
は異なるステップについて詳細に説明し、同様のステップを用いることができる部分は、
上記の説明を援用する。
【０１５８】
《第１のステップ》
第１のステップにおいて、リセット信号を供給し、すべての検知ユニット１０Ｕの検知素
子Ｃの第１の電極１１の電位を所定の電位にする（図２（Ａ）および図４（Ｂ−１）期間
Ｔ１参照）。例えば、検知素子Ｃの第１の電極１１の電位を接地電位にする。
【０１５９】
また、所定の走査線を順番に選択するように、例えばｉの値を１にする。なお、ｉの値が
１であるときを入力フレーム期間の始期ということができる。
【０１６０】
《第２のステップ》
第２のステップにおいて、所定の制御信号を検知素子Ｃの第２の電極１２に供給し、制御
信号および検知素子Ｃの容量に基づいて変化する電位を第１のトランジスタＭ１のゲート
に供給する。
【０１６１】
なお、選択信号と同期する信号を制御信号に用いることができる。
【０１６２】
《第３のステップ》
第３のステップにおいて、走査線Ｇ１（ｉ）を選択し、選択された走査線Ｇ１（ｉ）に電
気的に接続される検知ユニット１０Ｕ（ｉ，１）乃至１０Ｕ（ｉ，ｍ）に選択信号を所定
の期間供給する。
【０１６３】
選択信号が供給された第１のトランジスタＭ１の第２の電極を信号線ＤＬ（１）乃至ＤＬ
（ｍ）と電気的に接続する（図２（Ａ）および図４（Ｂ−１）期間Ｔ３参照）。
【０１６４】
矩形の制御信号を第２の電極１２に供給された検知素子Ｃは、検知素子Ｃの容量に基づい
てノードＡの電位を上昇する（図２（Ｂ−１）期間Ｔ２を参照）。
【０１６５】
《第４のステップ》
第４のステップにおいて、第１のトランジスタＭ１のゲートの電位にもたらされる変化に
基づいて変化する電流を、信号線ＤＬに供給する。なお、上記電流は検知信号としての機
能を有する。従って、検知回路は、第１のトランジスタのゲートの電位の変化に基づいて
検知信号を供給する。
【０１６６】
変換器ＣＯＮＶは、信号線ＤＬを流れる電流の変化を電圧の変化に変換して供給する。
【０１６７】
《第５のステップ》
第５のステップにおいて、第２のトランジスタを非導通状態にする選択信号をゲートに供
給する。
【０１６８】
《第６のステップ》
第６のステップにおいて、ｉの値に１を加え、その値がｎ以下である場合は、第２のステ
ップに進む。
【０１６９】
具体的には、ｉの値がｎより小さい場合は、第２のステップにおいて、走査線Ｇ１（ｉ＋
１）を選択し、選択された走査線Ｇ１（ｉ＋１）に電気的に接続される検知ユニット１０
Ｕ（ｉ＋１，１）乃至１０Ｕ（ｉ＋１，ｍ）に選択信号を所定の期間供給する。
【０１７０】
選択信号が供給された第１のトランジスタＭ１の第２の電極を信号線ＤＬ（１）乃至ＤＬ
（ｍ）と電気的に接続する（図２（Ａ）および図４（Ｂ−１）期間Ｔ３参照）。
【０１７１】
ｉの値に１を加えた値がｎより大きい場合は、第１のステップに進む。また、ｉの値に１
を加えた値がｎより大きいときを入力フレーム期間の終期ということができる。
【０１７２】
この駆動方法によれば、入力フレーム期間ごとに、すべての検知ユニットが検知信号ＤＡ
ＴＡを供給する。
【０１７３】
例えば、検知信号ＤＡＴＡは、各検知ユニットに近接するものの位置情報を含む。また、
あらかじめマトリクス状に配置されている検知ユニットの位置情報は既知である。
【０１７４】
検知信号ＤＡＴＡおよび検知ユニットの位置情報を関連付けることにより、入力装置２０
０は入力フレーム期間ごとに入力装置２００に近接するものの位置情報を供給することが
できる。
【０１７５】
具体的には、演算装置を用いて検知信号ＤＡＴＡおよび検知ユニットの位置情報を解析す
ることにより、入力装置２００に近接するものの位置情報を、入力フレーム期間ごとに知
ることができる。
【０１７６】
なお、上記で説明する駆動方法において、検知素子Ｃの第２の電極１２に供給する制御信
号の電位を反転させた信号を制御信号に用いることができる。（図４（Ｂ−２）参照）。
【０１７７】
なお、本実施の形態は、本明細書で示す他の実施の形態と適宜組み合わせることができる
。
【０１７８】
（実施の形態３）
本実施の形態では、本発明の一態様の情報処理装置に用いることができる入出力装置の構
成について、図５および図６を参照しながら説明する。
【０１７９】
図５は本発明の一態様の入出力装置５００ＴＰの構成を説明する投影図である。なお、説
明の便宜のために検知ユニット１０Ｕの一部および画素５０２の一部を拡大して図示して
いる。
【０１８０】
図６（Ａ）は図５に示す本発明の一態様の入出力装置５００ＴＰのＺ１−Ｚ２における断
面の構造を示す断面図であり、図６（Ｂ）および図６（Ｃ）は図６（Ａ）に示す構造の一
部を置換することができる構造の変形例を示す断面図である。
【０１８１】
＜入出力装置の構成例＞
本実施の形態で説明する入出力装置５００ＴＰは、表示部５００および表示部５００に重
なる入力装置６００を有する（図５参照）。
【０１８２】
入力装置６００は、マトリクス状に配設される複数の検知ユニット１０Ｕを有する。
【０１８３】
また、行方向（図中に矢印Ｒで示す）に配置される複数の検知ユニット１０Ｕが電気的に
接続される走査線Ｇ１、配線ＶＰ、配線ＲＥＳ、配線ＶＲＥＳなどを有する。
【０１８４】
また、列方向（図中に矢印Ｃで示す）に配置される複数の検知ユニット１０Ｕが電気的に
接続される信号線ＤＬなどを有する。
【０１８５】
検知ユニット１０Ｕは検知回路１９を備える。検知回路１９は、走査線Ｇ１、配線ＶＰ、
配線ＲＥＳ、配線ＶＲＥＳ、信号線ＤＬなどに電気的に接続される。
【０１８６】
トランジスタまたは／および検知素子等を検知回路に用いることができる。例えば、導電
膜と当該導電膜に電気的に接続される容量素子を検知素子に用いることができる。また、
容量素子と当該容量素子に電気的に接続されるトランジスタを用いることができる。
【０１８７】
絶縁層、絶縁層を挟持する第１の電極１１および第２の電極１２を備える検知素子Ｃを用
いることができる（図６（Ａ）参照）。
【０１８８】
検知回路１９は、選択信号を供給され且つ検知素子Ｃの容量の変化に基づいて検知信号Ｄ
ＡＴＡを供給する。
【０１８９】
走査線Ｇ１は、選択信号を供給することができ、信号線ＤＬは、検知信号ＤＡＴＡを供給
することができる。
【０１９０】
また、検知ユニットはマトリクス状に配置された複数の窓部６６７を有する。窓部６６７
は可視光を透過し、遮光性の層ＢＭを複数の窓部６６７の間に配設してもよい。
【０１９１】
窓部６６７に重なる位置に着色層を備える。着色層は、所定の色の光を透過する。なお、
着色層はカラーフィルタということができる。例えば、青色の光を透過する着色層ＣＦＢ
、緑色の光を透過する着色層ＣＦＧまたは赤色の光を透過する着色層ＣＦＲを用いること
ができる。また、黄色の光を透過する着色層や白色の光を透過する層を用いてもよい。
【０１９２】
表示部５００は、マトリクス状に配置された複数の画素５０２を有する。画素５０２は入
力装置６００の窓部６６７と重なるように配置されている。また、画素５０２は、検知ユ
ニット１０Ｕに比べて高い精細度で配設されてもよい。
【０１９３】
本実施の形態で説明する入出力装置５００ＴＰは、可視光を透過する窓部６６７を具備し
、マトリクス状に配設される複数の検知ユニット１０Ｕを備える入力装置６００と、窓部
６６７に重なる画素５０２を複数備える表示部５００と、を有し、窓部６６７と画素５０
２の間に着色層を含んで構成される。
【０１９４】
また、それぞれの検知ユニットに他の検知ユニットへの電気的な干渉を低減することがで
きるスイッチが配設されている。なお、トランジスタ等をスイッチに用いることができる
。
【０１９５】
これにより、各検知ユニットが検知する検知情報を検知ユニットの位置情報と共に供給す
ることができる。また、画像を表示する画素の位置情報に関連付けて検知情報を供給する
ことができる。
【０１９６】
また、検知情報を供給させない検知ユニットと信号線を非導通状態にすることで、検知信
号を供給させる検知ユニットへの電気的な干渉を低減することができる。その結果、利便
性または信頼性に優れた新規な入出力装置５００ＴＰを提供することができる。
【０１９７】
例えば、入出力装置５００ＴＰの入力装置６００は検知情報を検知して位置情報と共に供
給することができる。具体的には、入出力装置５００ＴＰの使用者は、入力装置６００に
触れた指等をポインタに用いて様々なジェスチャー（タップ、ドラッグ、スワイプまたは
ピンチイン等）をすることができる。
【０１９８】
入力装置６００は、入力装置６００に近接または接触する指等を検知して、検知した位置
または軌跡等を含む検知情報を供給することができる。
【０１９９】
演算装置は供給された情報が所定の条件を満たすか否かをプログラム等に基づいて判断し
、所定のジェスチャーに関連付けられた命令を実行する。
【０２００】
これにより、入力装置６００の使用者は、指等を用いて所定のジェスチャーを供給し、所
定のジェスチャーに関連付けられた命令を演算装置に実行させることができる。
【０２０１】
例えば、入出力装置５００ＴＰの入力装置６００は、一の信号線に検知情報を供給するこ
とができる複数の検知ユニットから一の検知ユニットを選択し、選択された検知ユニット
を除いた他の検知ユニットと当該一の信号線を非導通状態にすることができる。これによ
り、選択されていない他の検知ユニットがもたらす選択された検知ユニットへの干渉を低
減することができる。
【０２０２】
具体的には、選択されていない検知ユニットの検知素子がもたらす選択された検知ユニッ
トの検知素子への干渉を低減できる。
【０２０３】
例えば、容量素子および当該容量素子の一の電極が電気的に接続された導電膜を検知素子
に用いる場合において、選択されていない検知ユニットの導電膜の電位がもたらす、選択
された検知ユニットの導電膜の電位への干渉を低減することができる。具体的には、雑音
の低減に寄与することができる。
【０２０４】
これにより、入出力装置５００ＴＰはその大きさに依存することなく、検知ユニットを駆
動して、検知情報を供給させることができる。例えば、ハンドヘルド型に用いることがで
きる大きさから、電子黒板に用いることができる大きさまで、さまざまな大きさの入出力
装置５００ＴＰを提供することができる。
【０２０５】
また、入出力装置５００ＴＰが折り畳まれた状態および展開された状態にすることができ
且つ折り畳まれた状態と展開された状態とで選択されていない検知ユニットがもたらす選
択された検知ユニットへの電気的な干渉が異なる場合においても、入出力装置５００ＴＰ
の状態に依存することなく検知ユニットを駆動して、検知情報を供給させることができる
。
【０２０６】
また、入出力装置５００ＴＰの表示部５００は表示情報Ｖを供給されることができる。例
えば、演算装置は表示情報Ｖを供給することができる。
【０２０７】
以上の構成に加えて、入出力装置５００ＴＰは以下の構成を備えることもできる。
【０２０８】
入出力装置５００ＴＰの入力装置６００は、駆動回路２０ｇまたは駆動回路２０ｄを備え
てもよい。また、フレキシブルプリント基板ＦＰＣ１と電気的に接続されてもよい。
【０２０９】
入出力装置５００ＴＰの表示部５００は、駆動回路５０３ｇまたは駆動回路５０３ｓもし
くは配線５１１または端子５１９を備えてもよい。また、フレキシブルプリント基板ＦＰ
Ｃ２と電気的に接続されてもよい。
【０２１０】
また、傷の発生を防いで入出力装置５００ＴＰを保護する保護層１７ｐを備えてもよい。
例えば、セラミックコート層またはハードコート層を保護層１７ｐに用いることができる
。具体的には、酸化アルミニウムを含む層またはＵＶ硬化樹脂を含む層を用いることがで
きる。また、入出力装置５００ＴＰが反射する外光の強度を弱める反射防止層６７０ｐを
用いることができる。具体的には、円偏光板等を用いることができる。
【０２１１】
以下に、入出力装置５００ＴＰを構成する個々の要素について説明する。なお、これらの
構成は明確に分離できず、一つの構成が他の構成を兼ねる場合や他の構成の一部を含む場
合がある。
【０２１２】
例えば、複数の窓部６６７に重なる位置に着色層を備える入力装置６００は、入力装置６
００であるとともにカラーフィルタでもある。
【０２１３】
また、例えば入力装置６００が表示部５００に重ねられた入出力装置５００ＴＰは、入力
装置６００であるとともに表示部５００でもある。なお、表示部５００に入力装置６００
が重ねられた入出力装置５００ＴＰをタッチパネルともいう。
【０２１４】
《全体の構成》
本実施の形態で説明する入出力装置５００ＴＰは、入力装置６００または表示部５００を
有する。
【０２１５】
《入力装置》
入力装置６００は、検知ユニット１０Ｕ、走査線Ｇ１、信号線ＤＬまたは基材１６を備え
る。
【０２１６】
なお、基材１６に入力装置６００を形成するための膜を成膜し、当該膜を加工する方法を
用いて、入力装置６００を形成してもよい。
【０２１７】
または、入力装置６００の一部を他の基材に形成し、当該一部を基材１６に転置する方法
を用いて、入力装置６００を形成してもよい。
【０２１８】
《検知ユニット》
検知ユニット１０Ｕは近接または接触するものを検知して検知信号を供給する。例えば静
電容量、照度、磁力、電波または圧力等を検知して、検知した物理量に基づく情報を供給
する。具体的には、容量素子、光電変換素子、磁気検知素子、圧電素子または共振器等を
検知素子に用いることができる。
【０２１９】
検知ユニット１０Ｕは、例えば、近接または接触するものとの間の静電容量の変化を検知
する。具体的には、導電膜および導電膜と電気的に接続された検知回路を用いてもよい。
【０２２０】
なお、大気中において、指などの大気より大きな誘電率を備えるものが導電膜に近接する
と、指と導電膜の間の静電容量が変化する。この静電容量の変化を検知して検知情報を供
給することができる。具体的には、導電膜および当該導電膜に一方の電極が接続された容
量素子を含む検知回路を検知ユニット１０Ｕに用いることができる。
【０２２１】
例えば、静電容量の変化に伴い容量素子との間で電荷の分配が引き起こされ、容量素子の
両端の電極の電圧が変化する。この電圧の変化を検知信号に用いることができる。具体的
には、検知素子Ｃの電極間の電圧は一方の電極に電気的に接続された導電膜にものが近接
することにより変化する。本明細書中において、上記した指と導電膜の間の静電容量を容
量素子に寄生する容量、または検知素子に寄生する容量という場合がある。従って、指と
導電膜の間の静電容量が変化することを、容量素子に寄生する容量または検知素子に寄生
する容量が変化する、という場合がある。
【０２２２】
《スイッチ、トランジスタ》
検知ユニット１０Ｕは、制御信号に基づいて導通状態または非導通状態にすることができ
るスイッチを備える。例えば、トランジスタＭ１２をスイッチに用いることができる。
【０２２３】
また、検知信号を増幅するトランジスタを検知ユニット１０Ｕに用いることができる。
【０２２４】
同一の工程で作製することができるトランジスタを、検知信号を増幅するトランジスタお
よびスイッチに用いることができる。これにより、作製工程が簡略化された入力装置６０
０を提供できる。
【０２２５】
トランジスタは半導体層を備える。例えば、４族の元素、化合物半導体または酸化物半導
体を半導体層に用いることができる。具体的には、シリコンを含む半導体、ガリウムヒ素
を含む半導体またはインジウムを含む酸化物半導体などを半導体層に適用できる。また、
有機半導体などを半導体層に用いることができる。アントラセンやテトラセンやペンタセ
ンなどのアセン類、オリゴチオフェン誘導体、フタロシアニン類、ペリレン誘導体、ルブ
レン、Ａｌｑ３、ＴＴＦ−ＴＣＮＱ、ポリチオフェン（ポリ−３−ヘキシルチオフェンな
ど）、ポリアセチレン、ポリフルオレン、ポリフェニレンビニレン、ポリピロール、ポリ
アニリン、ペンタセン、テトラシアノキノジメタン（ＴＣＮＱ）、ポリパラフェニレンビ
ニレン（ＰＰＶ）などを有機半導体に用いることができる。
【０２２６】
様々な結晶性を備える半導体層をトランジスタに用いることができる。例えば、非結晶を
含む半導体層、微結晶を含む半導体層、多結晶を含む半導体層または単結晶を含む半導体
層等を用いることができる。具体的には、アモルファスシリコン、レーザーアニールなど
の処理により結晶化したポリシリコンまたはＳＯＩ（Ｓｉｌｉｃｏｎ  Ｏｎ  Ｉｎｓｕｌ
ａｔｏｒ）技術を用いて形成された半導体層等を用いることができる。
【０２２７】
半導体層に用いる酸化物半導体は、例えば、少なくともインジウム（Ｉｎ）、亜鉛（Ｚｎ
）及びＭ（Ａｌ、Ｇａ、Ｇｅ、Ｙ、Ｚｒ、Ｓｎ、Ｌａ、ＣｅまたはＨｆ等の金属）を含む
Ｉｎ−Ｍ−Ｚｎ酸化物で表記される膜を含むことが好ましい。または、ＩｎとＺｎの双方
を含むことが好ましい。
【０２２８】
スタビライザーとしては、ガリウム（Ｇａ）、スズ（Ｓｎ）、ハフニウム（Ｈｆ）、アル
ミニウム（Ａｌ）、またはジルコニウム（Ｚｒ）等がある。また、他のスタビライザーと
しては、ランタノイドである、ランタン（Ｌａ）、セリウム（Ｃｅ）、プラセオジム（Ｐ
ｒ）、ネオジム（Ｎｄ）、サマリウム（Ｓｍ）、ユウロピウム（Ｅｕ）、ガドリニウム（
Ｇｄ）、テルビウム（Ｔｂ）、ジスプロシウム（Ｄｙ）、ホルミウム（Ｈｏ）、エルビウ
ム（Ｅｒ）、ツリウム（Ｔｍ）、イッテルビウム（Ｙｂ）、ルテチウム（Ｌｕ）等がある
。
【０２２９】
酸化物半導体膜を構成する酸化物半導体として、例えば、Ｉｎ−Ｇａ−Ｚｎ系酸化物、Ｉ
ｎ−Ａｌ−Ｚｎ系酸化物、Ｉｎ−Ｓｎ−Ｚｎ系酸化物、Ｉｎ−Ｈｆ−Ｚｎ系酸化物、Ｉｎ
−Ｌａ−Ｚｎ系酸化物、Ｉｎ−Ｃｅ−Ｚｎ系酸化物、Ｉｎ−Ｐｒ−Ｚｎ系酸化物、Ｉｎ−
Ｎｄ−Ｚｎ系酸化物、Ｉｎ−Ｓｍ−Ｚｎ系酸化物、Ｉｎ−Ｅｕ−Ｚｎ系酸化物、Ｉｎ−Ｇ
ｄ−Ｚｎ系酸化物、Ｉｎ−Ｔｂ−Ｚｎ系酸化物、Ｉｎ−Ｄｙ−Ｚｎ系酸化物、Ｉｎ−Ｈｏ
−Ｚｎ系酸化物、Ｉｎ−Ｅｒ−Ｚｎ系酸化物、Ｉｎ−Ｔｍ−Ｚｎ系酸化物、Ｉｎ−Ｙｂ−
Ｚｎ系酸化物、Ｉｎ−Ｌｕ−Ｚｎ系酸化物、Ｉｎ−Ｓｎ−Ｇａ−Ｚｎ系酸化物、Ｉｎ−Ｈ
ｆ−Ｇａ−Ｚｎ系酸化物、Ｉｎ−Ａｌ−Ｇａ−Ｚｎ系酸化物、Ｉｎ−Ｓｎ−Ａｌ−Ｚｎ系
酸化物、Ｉｎ−Ｓｎ−Ｈｆ−Ｚｎ系酸化物、Ｉｎ−Ｈｆ−Ａｌ−Ｚｎ系酸化物、Ｉｎ−Ｇ
ａ系酸化物を用いることができる。
【０２３０】
なお、ここで、Ｉｎ−Ｇａ−Ｚｎ系酸化物とは、ＩｎとＧａとＺｎを主成分として有する
酸化物という意味であり、ＩｎとＧａとＺｎの比率は問わない。また、ＩｎとＧａとＺｎ
以外の金属元素が入っていてもよい。
【０２３１】
《配線》
入力装置６００は、走査線Ｇ１、配線ＶＰ、配線ＲＥＳ、配線ＶＲＥＳ、信号線ＤＬなど
を備える。
【０２３２】
導電性を有する材料を、走査線Ｇ１、配線ＶＰ、配線ＲＥＳ、配線ＶＲＥＳ、信号線ＤＬ
等に用いることができる。
【０２３３】
例えば、無機導電性材料、有機導電性材料、金属または導電性セラミックスなどを、配線
に用いることができる。
【０２３４】
具体的には、アルミニウム、金、白金、銀、クロム、タンタル、チタン、モリブデン、タ
ングステン、ニッケル、鉄、コバルト、イットリウム、ジルコニウム、パラジウムまたは
マンガンから選ばれた金属元素、上述した金属元素を含む合金または上述した金属元素を
組み合わせた合金などを配線等に用いることができる。特に、アルミニウム、クロム、銅
、タンタル、チタン、モリブデン、タングステンの中から選択される一以上の元素を含む
と好ましい。特に、銅とマンガンの合金がウエットエッチング法を用いた微細加工に好適
である。
【０２３５】
具体的には、アルミニウム膜上にチタン膜を積層する二層構造、窒化チタン膜上にチタン
膜を積層する二層構造、窒化チタン膜上にタングステン膜を積層する二層構造、窒化タン
タル膜または窒化タングステン膜上にタングステン膜を積層する二層構造、チタン膜と、
そのチタン膜上にアルミニウム膜を積層し、さらにその上にチタン膜を形成する三層構造
等を用いることができる。
【０２３６】
具体的には、アルミニウム膜上にチタン、タンタル、タングステン、モリブデン、クロム
、ネオジム、スカンジウムから選ばれた元素の膜、またはチタン、タンタル、タングステ
ン、モリブデン、クロム、ネオジムもしくはスカンジウムから選ばれた複数の元素を組み
合わせた合金膜、もしくは窒化膜を積層する積層構造を用いることができる。
【０２３７】
または、酸化インジウム、インジウム錫酸化物、インジウム亜鉛酸化物、酸化亜鉛、ガリ
ウムを添加した酸化亜鉛などの導電性酸化物を用いることができる。
【０２３８】
または、グラフェンまたはグラファイトを用いることができる。グラフェンを含む膜は、
例えば膜状に形成された酸化グラフェンを含む膜を還元して形成することができる。還元
する方法としては、熱を加える方法や還元剤を用いる方法等を挙げることができる。
【０２３９】
または、導電性高分子を用いることができる。
【０２４０】
《駆動回路》
駆動回路２０ｇは例えば所定のタイミングで選択信号を供給することができる。具体的に
は、選択信号を走査線Ｇ１ごとに所定の順番で供給する。また、さまざまな回路を駆動回
路２０ｇに用いることができる。例えば、シフトレジスタ、フリップフロップ回路、組み
合わせ回路などを用いることができる。例えば、入力装置６００が表示部５００の所定の
動作に基づいて動作するように、駆動回路２０ｇが選択信号を供給してもよい。具体的に
は、表示部５００の帰線期間中に入力装置６００が動作するように選択信号を供給しても
よい。これにより、表示部５００の動作に伴う雑音を入力装置６００が検知してしまう不
具合を軽減できる。
【０２４１】
駆動回路２０ｄは、検知ユニットが供給する検知信号に基づいて検知情報を供給する。ま
た、さまざまな回路を駆動回路２０ｄに用いることができる。例えば、検知ユニットに配
設された検知回路と電気的に接続されることによりソースフォロワ回路やカレントミラー
回路を構成することができる回路を、駆動回路２０ｄに用いることができる。また、検知
信号をデジタル信号に変換するアナログデジタル変換回路を備えていてもよい。
【０２４２】
《基材》
基材１６は、製造工程に耐えられる程度の耐熱性および製造装置に適用可能な厚さおよび
大きさを備えるものであれば、特に限定されない。特に、可撓性を有する材料を基材１６
に用いると、入力装置６００を折り畳んだ状態または展開された状態にすることができる
。なお、表示部５００が表示をする側に入力装置６００を配置する場合は、透光性を有す
る材料を基材１６に用いる。
【０２４３】
有機材料、無機材料または有機材料と無機材料等の複合材料等を基材１６に用いることが
できる。
【０２４４】
例えば、ガラス、セラミックスまたは金属等の無機材料を基材１６に用いることができる
。
【０２４５】
具体的には、無アルカリガラス、ソーダ石灰ガラス、カリガラスまたはクリスタルガラス
等を、基材１６に用いることができる。
【０２４６】
具体的には、金属酸化物膜、金属窒化物膜若しくは金属酸窒化物膜等を、基材１６に用い
ることができる。例えば、酸化珪素、窒化珪素、酸窒化珪素、アルミナ膜等を、基材１６
に用いることができる。
【０２４７】
例えば、樹脂、樹脂フィルムまたはプラスチック等の有機材料を基材１６に用いることが
できる。
【０２４８】
具体的には、ポリエステル、ポリオレフィン、ポリアミド、ポリイミド、ポリカーボネー
ト若しくはアクリル樹脂等の樹脂フィルムまたは樹脂板を、基材１６に用いることができ
る。
【０２４９】
例えば、薄板状のガラス板または無機材料等の膜を樹脂フィルム等に貼り合わせた複合材
料を基材１６に用いることができる。
【０２５０】
例えば、繊維状または粒子状の金属、ガラスもしくは無機材料等を樹脂フィルムに分散し
た複合材料を、基材１６に用いることができる。
【０２５１】
例えば、繊維状または粒子状の樹脂もしくは有機材料等を無機材料に分散した複合材料を
基材１６に用いることができる。
【０２５２】
また、単層の材料または複数の層が積層された積層材料を、基材１６に用いることができ
る。例えば、基材と基材に含まれる不純物の拡散を防ぐ絶縁層等が積層された積層材料を
、基材１６に用いることができる。
【０２５３】
具体的には、ガラスとガラスに含まれる不純物の拡散を防ぐ酸化シリコン膜、窒化シリコ
ン膜または酸化窒化シリコン膜等から選ばれた一または複数の膜が積層された積層材料を
、基材１６に適用できる。
【０２５４】
または、樹脂と樹脂を透過する不純物の拡散を防ぐ酸化シリコン膜、窒化シリコン膜また
は酸化窒化シリコン膜等が積層された積層材料を、基材１６に適用できる。
【０２５５】
具体的には、可撓性を有する基材６１０ｂ、不純物の拡散を防ぐバリア膜６１０ａおよび
基材６１０ｂとバリア膜６１０ａを貼り合わせる樹脂層６１０ｃの積層体を用いることが
できる（図６（Ａ）参照）。
【０２５６】
《フレキシブルプリント基板》
フレキシブルプリント基板ＦＰＣ１は、タイミング信号、電源電位等を供給し、検知信号
を供給される。
【０２５７】
《表示部》
表示部５００は、画素５０２、走査線、信号線または基材５１０を備える（図５参照）。
【０２５８】
なお、基材５１０に表示部５００を形成するための膜を成膜し、当該膜を加工して表示部
５００を形成してもよい。
【０２５９】
または、表示部５００の一部を他の基材に形成し、当該一部を基材５１０に転置して、表
示部５００を形成してもよい。
【０２６０】
《画素》
画素５０２は副画素５０２Ｂ、副画素５０２Ｇおよび副画素５０２Ｒを含み、それぞれの
副画素は表示素子と表示素子を駆動する画素回路を備える。
【０２６１】
《画素回路》
画素に能動素子を有するアクティブマトリクス方式、または、画素に能動素子を有しない
パッシブマトリクス方式を表示部に用いることが出来る。
【０２６２】
アクティブマトリクス方式では、能動素子（アクティブ素子、非線形素子）として、トラ
ンジスタだけでなく、さまざまな能動素子（アクティブ素子、非線形素子）を用いること
が出来る。例えば、ＭＩＭ（Ｍｅｔａｌ  Ｉｎｓｕｌａｔｏｒ  Ｍｅｔａｌ）、又はＴＦ
Ｄ（Ｔｈｉｎ  Ｆｉｌｍ  Ｄｉｏｄｅ）などを用いることも可能である。これらの素子は
、製造工程が少ないため、製造コストの低減、又は歩留まりの向上を図ることができる。
または、これらの素子は、素子のサイズが小さいため、開口率を向上させることができ、
低消費電力化や高輝度化をはかることが出来る。
【０２６３】
アクティブマトリクス方式以外のものとして、能動素子（アクティブ素子、非線形素子）
を用いないパッシブマトリクス型を用いることも可能である。能動素子（アクティブ素子
、非線形素子）を用いないため、製造工程が少ないため、製造コストの低減、又は歩留ま
りの向上を図ることができる。または、能動素子（アクティブ素子、非線形素子）を用い
ないため、開口率を向上させることができ、低消費電力化、又は高輝度化などを図ること
が出来る。
【０２６４】
画素回路は、例えば、トランジスタ５０２ｔを含む。
【０２６５】
表示部５００はトランジスタ５０２ｔを覆う絶縁膜５２１を備える。絶縁膜５２１は画素
回路に起因する凹凸を平坦化するための層として用いることができる。また、絶縁膜５２
１に不純物の拡散を抑制できる層を含む積層膜を適用することができる。これにより、不
純物の拡散によるトランジスタ５０２ｔ等の信頼性の低下を抑制できる。
【０２６６】
《表示素子》
さまざまな表示素子を表示部５００に用いることができる。例えば、電気泳動方式や電子
粉流体（登録商標）方式やエレクトロウェッティング方式などにより表示を行う表示素子
（電子インクともいう）、シャッター方式のＭＥＭＳ表示素子、光干渉方式のＭＥＭＳ表
示素子、液晶素子などを用いることができる。
【０２６７】
また、透過型液晶ディスプレイ、半透過型液晶ディスプレイ、反射型液晶ディスプレイ、
直視型液晶ディスプレイなどに用いることができる表示素子を用いることができる。
【０２６８】
例えば、射出する光の色が異なる有機エレクトロルミネッセンス素子を副画素毎に適用し
てもよい。
【０２６９】
例えば、白色の光を射出する有機エレクトロルミネッセンス素子を適用できる。
【０２７０】
例えば、発光素子５５０Ｒは、下部電極、上部電極、下部電極と上部電極の間に発光性の
有機化合物を含む層を有する。
【０２７１】
副画素５０２Ｒは発光モジュール５８０Ｒを備える。副画素５０２Ｒは、発光素子５５０
Ｒおよび発光素子５５０Ｒに電力を供給することができるトランジスタ５０２ｔを含む画
素回路を備える。また、発光モジュール５８０Ｒは発光素子５５０Ｒおよび光学素子（例
えば着色層ＣＦＲ）を備える。
【０２７２】
なお、特定の波長の光を効率よく取り出せるように、発光モジュール５８０Ｒに微小共振
器構造を配設することができる。具体的には、特定の光を効率よく取り出せるように配置
された可視光を反射する膜および半反射・半透過する膜の間に発光性の有機化合物を含む
層を配置してもよい。
【０２７３】
発光モジュール５８０Ｒは、光を取り出す方向に着色層ＣＦＲを有する。着色層は特定の
波長を有する光を透過するものであればよく、例えば赤色、緑色または青色等の光を選択
的に透過するものを用いることができる。なお、他の副画素を着色層が設けられていない
窓部に重なるように配置して、着色層を透過しないで発光素子の発する光を射出させても
よい。
【０２７４】
着色層ＣＦＲは発光素子５５０Ｒと重なる位置にある。これにより、発光素子５５０Ｒが
発する光の一部は着色層ＣＦＲを透過して、図中に示す矢印の方向の発光モジュール５８
０Ｒの外部に射出される。
【０２７５】
着色層（例えば着色層ＣＦＲ）を囲むように遮光性の層ＢＭがある。
【０２７６】
なお、光を取り出す側に封止材５６０が設けられている場合、封止材５６０は発光素子５
５０Ｒと着色層ＣＦＲに接してもよい。
【０２７７】
下部電極は絶縁膜５２１の上に配設される。下部電極に重なる開口部が設けられた隔壁５
２８を備える。なお、隔壁５２８の一部は下部電極の端部に重なる。
【０２７８】
下部電極は、上部電極との間に発光性の有機化合物を含む層を挟持して発光素子（例えば
発光素子５５０Ｒ）を構成する。画素回路は発光素子に電力を供給する。
【０２７９】
また、隔壁５２８上に、基材１６と基材５１０の間隔を制御するスペーサを有する。
【０２８０】
なお、半透過型液晶ディスプレイや反射型液晶ディスプレイを実現する場合には、画素電
極の一部、または、全部が、反射電極としての機能を有するようにすればよい。例えば、
画素電極の一部、または、全部が、アルミニウム、銀、などを有するようにすればよい。
【０２８１】
また、反射電極の下に、ＳＲＡＭなどの記憶回路を設けることも可能である。これにより
、さらに、消費電力を低減することができる。また、適用する表示素子に好適な構成を様
々な画素回路から選択して用いることができる。
【０２８２】
《基材》
可撓性を有する材料を基材５１０に用いることができる。例えば、基材１６に用いること
ができる材料と同様の材料を基材５１０に適用することができる。
【０２８３】
なお、基材５１０が透光性を必要としない場合は、例えば透光性を有しない材料、具体的
にはＳＵＳまたはアルミニウム等を用いることができる。
【０２８４】
例えば、可撓性を有する基材５１０ｂと、不純物の拡散を防ぐバリア膜５１０ａと、基材
５１０ｂおよびバリア膜５１０ａを貼り合わせる樹脂層５１０ｃと、が積層された積層体
を基材５１０に好適に用いることができる（図６（Ａ）参照）。
【０２８５】
《封止材》
封止材５６０は基材１６と基材５１０を貼り合わせる。封止材５６０は空気より大きい屈
折率を備える。また、封止材５６０側に光を取り出す場合は、封止材５６０は光学的に接
合する機能を有する層を兼ねるとよい。
【０２８６】
なお、画素回路または発光素子（例えば発光素子５５０Ｒ）は基材５１０と基材１６の間
にある。
【０２８７】
《駆動回路の構成》
駆動回路５０３ｇは選択信号を供給する。例えば、走査線に選択信号を供給する。また、
画像信号を供給する駆動回路５０３ｓを備えても良い。例えば、トランジスタ５０３ｔま
たは容量５０３ｃを駆動回路５０３ｓに用いることができる。例えば、シフトレジスタ、
フリップフロップ回路、組み合わせ回路などを駆動回路５０３ｇまたは駆動回路５０３ｇ
に用いることができる。なお、画素回路と同一の工程で同一基板上に形成することができ
るトランジスタを駆動回路に用いることができる。
【０２８８】
《配線》
表示部５００は、走査線、信号線および電源線等の配線を有する。さまざまな導電膜を用
いることができる。例えば、入力装置６００に用いることができる導電膜と同様の材料を
用いることができる。
【０２８９】
表示部５００は、信号を供給することができる配線５１１を備え、端子５１９が配線５１
１に設けられている。なお、画像信号および同期信号等の信号を供給することができるフ
レキシブルプリント基板ＦＰＣ２が端子５１９に電気的に接続されている。
【０２９０】
なお、フレキシブルプリント基板ＦＰＣ２にはプリント配線基板（ＰＷＢ）が取り付けら
れていても良い。
【０２９１】
《他の構成》
入出力装置５００ＴＰは、反射防止層６７０ｐを画素に重なる位置に備える。反射防止層
６７０ｐとして、例えば円偏光板を用いることができる。
【０２９２】
＜入出力装置の変形例＞
様々なトランジスタを入力装置６００または／および表示部５００に適用できる。
【０２９３】
ボトムゲート型のトランジスタを入力装置６００に適用する場合の構成を図６（Ａ）に示
す。
【０２９４】
ボトムゲート型のトランジスタを表示部５００に適用する場合の構成を図６（Ａ）および
図６（Ｂ）に図示する。
【０２９５】
例えば、酸化物半導体、アモルファスシリコン等を含む半導体層を図６（Ａ）に図示する
トランジスタ５０２ｔおよびトランジスタ５０３ｔに適用することができる。
【０２９６】
例えば、レーザーアニールなどの処理により結晶化させた多結晶シリコンを含む半導体層
を、図６（Ｂ）に図示するトランジスタ５０２ｔおよびトランジスタ５０３ｔに適用する
ことができる。
【０２９７】
トップゲート型のトランジスタを表示部５００に適用する場合の構成を、図６（Ｃ）に図
示する。
【０２９８】
例えば、多結晶シリコンまたは単結晶シリコン基板等から転置された単結晶シリコン膜等
を含む半導体層を、図６（Ｃ）に図示するトランジスタ５０２ｔおよびトランジスタ５０
３ｔに適用することができる。
【０２９９】
なお、本実施の形態は、本明細書で示す他の実施の形態と適宜組み合わせることができる
。
【０３００】
（実施の形態４）
本実施の形態では、本発明の一態様の情報処理装置の構成について、図７を参照しながら
説明する。
【０３０１】
図７は本発明の一態様の情報処理装置を説明する図である。
【０３０２】
図７（Ａ）は本発明の一態様の情報処理装置Ｋ１００の入出力装置Ｋ２０が展開された状
態を説明する投影図であり、図７（Ｂ）は図７（Ａ）の切断線Ｘ１−Ｘ２における情報処
理装置Ｋ１００の断面図である。図７（Ｃ）は入出力装置Ｋ２０が折り畳まれた状態を説
明する投影図である。
【０３０３】
＜情報処理装置の構成例＞
本実施の形態で説明する情報処理装置Ｋ１００は、入出力装置Ｋ２０と、演算装置Ｋ１０
と、筐体Ｋ０１（１）乃至筐体Ｋ０１（３）を有する（図７参照）。
【０３０４】
《入出力装置》
入出力装置Ｋ２０は、表示部Ｋ３０および入力装置Ｋ４０を備える。入出力装置Ｋ２０は
、画像情報Ｖを供給され且つ検知情報Ｓを供給する。
【０３０５】
表示部Ｋ３０は画像情報Ｖを供給され、入力装置Ｋ４０は検知情報Ｓを供給する（図７（
Ｂ）参照）。
【０３０６】
入力装置Ｋ４０と表示部Ｋ３０が一体に重ねられた入出力装置Ｋ２０は、表示部Ｋ３０で
あるとともに、入力装置Ｋ４０でもある。
【０３０７】
なお、入力装置Ｋ４０にタッチセンサを用い、表示部Ｋ３０に表示パネルを用いた入出力
装置Ｋ２０は、タッチパネルである。
【０３０８】
《表示部》
表示部Ｋ３０は、第１の領域Ｋ３１（１１）、第１の屈曲できる領域Ｋ３１（２１）、第
２の領域Ｋ３１（１２）、第２の屈曲できる領域Ｋ３１（２２）および第３の領域Ｋ３１
（１３）がこの順で縞状に配置された領域Ｋ３１を有する（図７（Ａ）参照）。
【０３０９】
表示部Ｋ３０は、第１の屈曲できる領域Ｋ３１（２１）に形成される第１の畳み目および
第２の屈曲できる領域Ｋ３１（２２）に形成される第２の畳み目で折り畳まれた状態およ
び展開された状態にすることができる（図７（Ａ）および図７（Ｃ）参照）。
【０３１０】
《演算装置》
演算装置Ｋ１０は、演算部および演算部に実行させるプログラムを記憶する記憶部を備え
る。また、画像情報Ｖを供給し且つ検知情報Ｓを供給される。
【０３１１】
《筐体》
筐体は、筐体Ｋ０１（１）、ヒンジＫ０２（１）、筐体Ｋ０１（２）、ヒンジＫ０２（２
）および筐体Ｋ０１（３）を含み、この順に配置される。
【０３１２】
筐体Ｋ０１（３）は、演算装置Ｋ１０を収納する。また、筐体Ｋ０１（１）乃至筐体Ｋ０
１（３）は、入出力装置Ｋ２０を保持し、入出力装置Ｋ２０を折り畳まれた状態または展
開された状態にすることができる（図７（Ｂ）参照）。
【０３１３】
本実施の形態では、３つの筐体が２つのヒンジを用いて接続される構成を備える情報処理
装置を例示する。この構成を備える情報処理装置は、入出力装置Ｋ２０を２か所で折って
折り畳むことができる。
【０３１４】
なお、ｎ（ｎは２以上の自然数）個の筐体を（ｎ−１）個のヒンジを用いて接続してもよ
い。この構成を備える情報処理装置は、入出力装置Ｋ２０を（ｎ−１）箇所で折って折り
畳むことができる。
【０３１５】
筐体Ｋ０１（１）は、第１の領域Ｋ３１（１１）と重なり、釦Ｋ４５（１）を備える。
【０３１６】
筐体Ｋ０１（２）は、第２の領域Ｋ３１（１２）と重なる。
【０３１７】
筐体Ｋ０１（３）は、第３の領域Ｋ３１（１３）と重なり、演算装置Ｋ１０、アンテナＫ
１０ＡおよびバッテリーＫ１０Ｂを収納する。
【０３１８】
ヒンジＫ０２（１）は、第１の屈曲できる領域Ｋ３１（２１）と重なり、筐体Ｋ０１（１
）を筐体Ｋ０１（２）に対して回動可能に接続する。
【０３１９】
ヒンジＫ０２（２）は、第２の屈曲できる領域Ｋ３１（２２）と重なり、筐体Ｋ０１（２
）を筐体Ｋ０１（３）に対して回動可能に接続する。
【０３２０】
アンテナＫ１０Ａは、演算装置Ｋ１０と電気的に接続され、信号を供給または供給される
。
【０３２１】
また、アンテナＫ１０Ａは、外部装置から無線で電力を供給され、電力をバッテリーＫ１
０Ｂに供給する。
【０３２２】
バッテリーＫ１０Ｂは、演算装置Ｋ１０と電気的に接続され、電力を供給または供給され
る。
【０３２３】
《折り畳みセンサ》
折り畳みセンサＫ４１は、筐体が折り畳まれた状態かまたは展開された状態かを検知し、
筐体の状態を示す情報を供給する。
【０３２４】
演算装置Ｋ１０は、筐体の状態を示す情報を供給される。
【０３２５】
筐体の状態を示す情報が折り畳まれた状態を示す情報である場合、演算装置Ｋ１０は第１
の領域Ｋ３１（１１）に第１の画像を含む画像情報Ｖを供給する（図７（Ｃ）参照）。
【０３２６】
また、筐体Ｋ０１の状態を示す情報が展開された状態を示す情報である場合、演算装置Ｋ
１０は表示部Ｋ３０の領域Ｋ３１に画像情報Ｖを供給する（図７（Ａ））。
【０３２７】
なお、本実施の形態は、本明細書で示す他の実施の形態と適宜組み合わせることができる
。
【０３２８】
（実施の形態５）
本実施の形態では、本発明の一態様の情報処理装置の構成について、図８を参照しながら
説明する。
【０３２９】
図８は本発明の一態様の情報処理装置を説明する図である。
【０３３０】
図８（Ａ−１）乃至図８（Ａ−３）は、本発明の一態様の情報処理装置の投影図である。
【０３３１】
図８（Ｂ−１）および図８（Ｂ−２）は、本発明の一態様の情報処理装置の投影図である
。
【０３３２】
図８（Ｃ−１）乃至図８（Ｃ−２）は、本発明の一態様の情報処理装置の上面図および底
面図ある。
【０３３３】
《情報処理装置Ａ》
情報処理装置３０００Ａは、入出力部３１２０および入出力部３１２０を支持する筐体３
１０１を有する（図８（Ａ−１）乃至図８（Ａ−３）参照）。
【０３３４】
また、情報処理装置３０００Ａは、演算部および演算部に実行させるプログラムを記憶す
る記憶部、演算部を駆動する電力を供給するバッテリーなどの電源を備える。
【０３３５】
なお、筐体３１０１は、演算部、記憶部またはバッテリーなどを収納する。
【０３３６】
情報処理装置３０００Ａは、側面または／および上面に表示情報を表示することができる
。
【０３３７】
情報処理装置３０００Ａの使用者は、側面または／および上面に接する指を用いて操作命
令を供給することができる。
【０３３８】
《情報処理装置Ｂ》
情報処理装置３０００Ｂは、入出力部３１２０および入出力部３１２０ｂを有する（図８
（Ｂ−１）および図８（Ｂ−２）参照）。
【０３３９】
また、情報処理装置３０００Ｂは入出力部３１２０を支持する筐体３１０１および可撓性
を有するベルト状の筐体３１０１ｂを有する。
【０３４０】
また、情報処理装置３０００Ｂは入出力部３１２０ｂを支持する筐体３１０１を有する。
【０３４１】
また、情報処理装置３０００Ｂは、演算部および演算部に実行させるプログラムを記憶す
る記憶部、演算部を駆動する電力を供給するバッテリーなどの電源を備える。
【０３４２】
なお、筐体３１０１は、演算部、記憶部またはバッテリーなどを収納する。
【０３４３】
情報処理装置３０００Ｂは、可撓性を有するベルト状の筐体３１０１ｂに支持される入出
力部３１２０に表示情報を表示することができる。
【０３４４】
情報処理装置３０００Ｂの使用者は、入出力部３１２０に接する指を用いて操作命令を供
給することができる。
【０３４５】
《情報処理装置Ｃ》
情報処理装置３０００Ｃは、入出力部３１２０ならびに入出力部３１２０を支持する筐体
３１０１および筐体３１０１ｂを有する（図８（Ｃ−１）乃至図８（Ｃ−２）参照）。
【０３４６】
入出力部３１２０および筐体３１０１ｂは可撓性を有する。
【０３４７】
また、情報処理装置３０００Ｃは、演算部および演算部に実行させるプログラムを記憶す
る記憶部、演算部を駆動する電力を供給するバッテリーなどの電源を備える。
【０３４８】
なお、筐体３１０１は、演算部、記憶部またはバッテリーなどを収納する。
【０３４９】
情報処理装置３０００Ｃは、筐体３１０１ｂの部分で二つに折り畳むことができる。
【０３５０】
なお、本実施の形態は、本明細書で示す他の実施の形態と適宜組み合わせることができる
。
【符号の説明】
【０３５１】
Ｇ１    走査線
Ｋ０１    筐体
Ｋ０２    ヒンジ
Ｋ１０    演算装置
Ｋ１０Ａ    アンテナ
Ｋ１０Ｂ    バッテリー
Ｋ２０    入出力装置
Ｋ３０    表示部
Ｋ３１    領域
Ｋ４０    入力装置
Ｋ４１    センサ
Ｋ４５    釦
Ｋ１００    情報処理装置
Ｍ１    トランジスタ
Ｍ２    トランジスタ
Ｍ３    トランジスタ
Ｍ４    トランジスタ
Ｍ１２    トランジスタ
Ｔ１    期間
Ｔ２    期間
Ｔ３    期間
ＦＰＣ１    フレキシブルプリント基板
ＦＰＣ２    フレキシブルプリント基板
ＯＵＴ    端子
ＲＥＳ    配線
ＶＰ    配線
ＶＰＯ    配線
ＶＲＥＳ    配線
ＢＲ    配線
１０    検知器
１０Ｕ    検知ユニット
１１    電極
１２    電極
１４    窓部
１６    基材
１７    保護基材
１７ｐ    保護層
１９    検知回路
２０ｄ    駆動回路
２０ｇ    駆動回路
２００    入力装置
５００    表示部
５００ＴＰ    入出力装置
５０２    画素
５０２Ｂ    副画素
５０２Ｇ    副画素
５０２Ｒ    副画素
５０２ｔ    トランジスタ
５０３ｃ    容量
５０３ｇ    駆動回路
５０３ｓ    駆動回路
５０３ｔ    トランジスタ
５１０    基材
５１０ａ    バリア膜
５１０ｂ    基材
５１０ｃ    樹脂層
５１１    配線
５１９    端子
５２１    絶縁膜
５２８    隔壁
５５０Ｒ    発光素子
５６０    封止材
５８０Ｒ    発光モジュール
６００    入力装置
６１０ａ    バリア膜
６１０ｂ    基材
６１０ｃ    樹脂層
６６７    窓部
６７０ｐ    反射防止層
３０００Ａ    情報処理装置
３０００Ｂ    情報処理装置
３０００Ｃ    情報処理装置
３１０１    筐体
３１０１ｂ    筐体
３１２０    入出力部
３１２０ｂ    入出力部
【図１】
2020064641.tif 000003
【図２】
2020064641.tif 000004
【図３】
2020064641.tif 000005
【図４】
2020064641.tif 000006
【図５】
2020064641.tif 000007
【図６】
2020064641.tif 000008
【図７】
2020064641.tif 000009
【図８】
2020064641.tif 000010